(57)【要約】      （修正有）【課題】各電子部品にそれぞれ制御モジュールを取り付けてそれぞれ単独に制御する必要をなくし、使用者がグラフィックカード本体上の制御モジュールのみにより各電子部品の作動状態を全面的に制御し、把握できるグラフィックカードの拡張制御装置を提供する。【解決手段】主な構造は、グラフィックカード本体１と、読み取りモジュール１１と、制御モジュール１２と、からなる。読み取りモジュール１１と制御モジュール１２は、それぞれグラフィックカード本体１上に設けられるとともに、制御モジュール１２と読み取りモジュール１１は、連動して作動する。よって、読み取りモジュール１１がグラフィックカード本体１の状態に異常があることを読み取ったまたは使用者が自分で調整したい場合、使用者は、グラフィックカード本体１上の制御モジュール１２によって直接電子部品の作動方式を制御し、調整することができる。【選択図】図１
0003214715.tif 000002
【実用新案登録請求の範囲】
【請求項１】
グラフィックカード本体と、少なくとも１つの読み取りモジュールと、制御モジュールと、からなるグラフィックカードの拡張制御装置であって、
前記読み取りモジュールは、前記グラフィックカード本体上に設けられ、
前記制御モジュールは、前記グラフィックカード本体上に設けられるとともに、前記読み取りモジュールと連動して作動し、前記制御モジュールは、前記読み取りモジュールによって前記グラフィックカード本体が読み取った作動状態のデータを取得し、選択的に少なくとも１つの電子部品の作動状態を制御することを特徴とする、グラフィックカードの拡張制御装置。
【請求項２】
前記電子部品は、ファン、チップ、インターフェースカード、マザーボード、電源供給装置のうちの１つであることを特徴とする、請求項１に記載のグラフィックカードの拡張制御装置。
【請求項３】
前記電子部品上には少なくとも１つの前記制御モジュールの情報と連結された発光部品が設けられることを特徴とする、請求項２に記載のグラフィックカードの拡張制御装置。
【請求項４】
前記制御モジュールは、情報を制御インターフェースに連結させることで、使用者は前記制御インターフェースにより前記制御モジュールを駆動させ前記電子部品を制御することを特徴とする、請求項１に記載のグラフィックカードの拡張制御装置。
【請求項５】
前記読み取りモジュールは、温度検出モジュール、周波数検出モジュール、ファン回転速度検出モジュールのうちの１つであることを特徴とする、請求項１に記載のグラフィックカードの拡張制御装置。
【請求項６】
前記読み取りモジュールは、前記電子部品の作動状態を読み取ることを特徴とする、請求項１に記載のグラフィックカードの拡張制御装置。
【考案の詳細な説明】
【技術分野】
【０００１】
本考案は制御装置に関し、特に、グラフィックカード内の制御モジュールによってその他の周辺装置の作動性能を直接制御することのできるグラフィックカードの拡張制御装置に関する。
【背景技術】
【０００２】
電子技術が勢いよく発展するにつれて、コンピュータ、携帯電話といった電子装置は、すでに人々の日常生活において必要不可欠なものになっており、さらにそれに伴い作図プログラムまたはオンラインゲームといった周辺製品も急成長を遂げている。これらのソフトウェアがスムーズに作動するようにするため、通常コンピュータ内に外部グラフィックカードといった強力な表示演算モジュールを設ける必要がある。
【０００３】
外部グラフィックカードは、マザーボードに組み込まれた表示モジュールに比べ、比較的強力な演算能力を備えるが、作動時に消費する動作電力もそれに対応して比較的高い。消費する動作電力が大きくなると、グラフィックカードの温度と周波数もそれに伴い高くなるため、ファンの回転速度を強めて温度を下げるなどする必要がある。さらに、マザーボード、中央演算処理装置（ＣＰＵ）、またはメモリーといった関連する周辺装置の消費電力もそれに伴い高くなる。よって、グラフィックカード、マザーボード、中央演算処理装置（ＣＰＵ）、メモリーの作動性能を制御するため、各装置内に制御モジュールを設けることにより、各裝置をそれぞれ制御する必要がある。つまり、各裝置は専用の制御モジュールをそれぞれ備えることになり、取り付け時にも各裝置にそれぞれ取り付ける必要があるため、非常に面倒である。
【考案の概要】
【考案が解決しようとする課題】
【０００４】
本考案は、グラフィックカード本体上の読み取りモジュールと制御モジュールによって、各電子部品にそれぞれ単独の制御モジュールを取り付けなくてもよいようにし、グラフィックカード本体上の制御モジュールのみにより各電子部品の状態を全面的に制御できるようにすることで、操作をさらに便利にすることを目的とする。
【０００５】
本考案はさらに、読み取りモジュールが単独でグラフィックカード本体自体の状態を読み取ることができる上、さらに電子部品の作動状態を読み取ることができ、検出の範囲が広げられることで、多様性を備えるとともに応用範囲の広い監視制御という長所を備えることを目的とする。
【課題を解決するための手段】
【０００６】
上述の目的を達成するため、本考案の主な構造は、グラフィックカード本体と、グラフィックカード本体上にそれぞれ設けられる少なくとも１つのグラフィックカード本体の状態を読み取ることのできる読み取りモジュールと、読み取りモジュールと連動して作動する制御モジュールと、からなる。文字通り、読み取りモジュールは、作動状況、周波数の状態、または温度状態といったグラフィックカード本体の状態を読み取ることができ、読み取りモジュールがグラフィックカード本体に上述の状態の異常を検出したまたは使用者が自分で調整したい場合、制御モジュールによって１つずつまたは一度に複数の電子部品を制御し調整することができる。これにより、電子部品に別に制御モジュールを取り付ける必要がなくなり、グラフィックカード本体の制御モジュールのみにより各電子部品を制御することができる。
【考案の効果】
【０００７】
上述の技術により、従来技術に存在する、各装置内に制御モジュールを設けて各裝置をそれぞれ制御しなければならない、つまり、各裝置は専用の制御モジュールをそれぞれ備えることになり、取り付け時にも各裝置にそれぞれ取り付ける必要があるため、非常に面倒であるという問題を解決することができ、本考案の上述の長所における実用進歩性を達成することができる。
【図面の簡単な説明】
【０００８】
【図１】本考案の比較的好ましい実施例におけるグラフィックカードの斜視分解図である。
【図２】本考案の比較的好ましい実施例の構造ブロック図である。
【図３】本考案の比較的好ましい実施例の実施図である。
【図４】本考案の比較的好ましい実施例における電子部品の構造ブロック図である。
【図５】本考案の比較的好ましい実施例における制御を示した図である。
【考案を実施するための形態】
【０００９】
参照する図１及び図２は、本考案の比較的好ましい実施例におけるグラフィックカードの斜視分解図及び構造ブロック図である。図を見て分かる通り、本考案は、
グラフィックカード本体１と、少なくとも１つの読み取りモジュール１１と、制御モジュール１２と、からなる。
【００１０】
少なくとも１つの前記グラフィックカード本体１上に設けられる読み取りモジュール１１は、温度検出モジュール、周波数検出モジュール、ファン回転速度検出モジュールのうちの１つである。
【００１１】
前記グラフィックカード本体１上に設けられるとともに、前記読み取りモジュール１１と連動して作動する制御モジュール１２は、情報を制御インターフェース２に連結する。前記制御モジュール１２は、前記読み取りモジュール１１によって前記グラフィックカード本体１の状態を取得することができ、制御インターフェース２によって前記制御モジュール１２を制御して少なくとも１つの電子部品を制御する。
【００１２】
同時に組み合わせて参照する図１から図５は、本考案の比較的好ましい実施例におけるグラフィックカードの斜視分解図から制御を示した図である。図から分かる通り、本考案のグラフィックカード本体１は、１つまたは複数の電子部品３を電気的に接続することができ、そのうち前記電子部品３は、ファン、チップ、インターフェースカード、マザーボード、電源供給装置のうちの１つであるとともに、それには少なくとも１つの前記制御モジュール１２の情報と連結された発光部品３１が設けられる。このように、本実施例では電子部品３は発光部品３１を備えるものとして動作を実施し、読み取りモジュール１１は温度検出モジュールであるものとし、電子部品３はファンであるものとする。読み取りモジュール１１がグラフィックカード本体１自体またはその周囲の環境の温度が高くなりすぎていることを検出した場合、制御モジュール１２は、周囲に設けられるとともにグラフィックカード本体１の情報と連結された少なくとも１つの電子部品３を直接制御し、動作速度を速めることで、共同してグラフィックカード本体１の周囲の温度を下げる。さらに、読み取りモジュール１１がグラフィックカード本体１の状態の異常を検出したまたは使用者が自分で調整したい場合、制御モジュール１２によって電子部品３上の発光部品３１が光るようにし、電子部品３上の発光部品３１が光って警告を発していることを使用者が確実に見ることができるようにすることで、温度が高くなりすぎており、制御インターフェース２によって制御モジュール１２を制御することにより、グラフィックカード本体１を対応して作動させる必要があることを知らせる。制御モジュール１２によって電子部品３の動作速度を速めることもできる。
【００１３】
さらに、前記制御インターフェース２はソフトウェアインターフェースであり、コンピュータのスクリーン上に表示して使用者が見て操作できるようにすることができ、制御モジュール１２も同様に制御ソフトウェアまたは構成部品本体（本実施例では構成部品本体を例として挙げる）であることができる。
【００１４】
さらに、本考案は、自動で制御調整することもできる。例えば、読み取りモジュール１１が、能動的にグラフィックカード本体１の異常を検出したまたは使用者が自分で調整したい場合、制御モジュール１２が能動的に電子部品３を調整して制御することで、関連する制御モジュール１２を取り付けることなく電子部品３自体はグラフィックカード本体１によって全面的に制御される。
【００１５】
さらに、上述の実施例以外にも別の実施例が可能である。例えば、前記読み取りモジュール１１は単独でグラフィックカード本体１自体の状態を読み取ることができるだけでなく、さらに電子部品３の温度、周波数といった作動状態を読み取ることができる。これによりグラフィックカード本体１により電子部品３（ここではマザーボード）と電気的に接続することにより、電子部品３（ここではマザーボード）と電気的に接続されたその他の電子部品３（中央演算処理装置、メモリー等）の状態を読み取ることができる。以後異常に気付いた場合には、使用者は、制御モジュール１２によって電子部品３（中央演算処理装置、メモリー等）を制御することができるため、多様性を備えるとともに応用範囲の広い監視制御という長所を備えることができる。
【００１６】
よって、参照した全ての図に示すように、本考案を使用する場合、従来技術と比較して、以下に挙げる長所が存在する。
【００１７】
一、グラフィックカード本体１上の読み取りモジュール１１と制御モジュール１２によって、各電子部品３にそれぞれ単独の制御モジュールを取り付けなくてもよいようにし、グラフィックカード本体１上の制御モジュール１２のみにより各電子部品３の状態を全面的に制御することができるため、操作が便利である。
【００１８】
二、読み取りモジュール１１が単独でグラフィックカード本体１自体の状態を読み取ることができる上、さらに電子部品３の作動状態を読み取ることができ、検出の範囲が広げられることで、多様性を備えるとともに応用範囲の広い監視制御という長所を備える。
【符号の説明】
【００１９】
１    グラフィックカード本体
１１  読み取りモジュール
１２  制御モジュール
２    制御インターフェース
３    電子部品
３１  発光部品
【図１】
0003214715.tif 000003
【図２】
0003214715.tif 000004
【図３】
0003214715.tif 000005
【図４】
0003214715.tif 000006
【図５】
0003214715.tif 000007